(57)【要約】【課題】  開閉機構を薄く形成して連窓方立の見付が太くならないようにした自然換気の辷り出し窓を提供する。【解決手段】  縦枠１２３の上端に設置したガイドレール１４によって縦框１３３上端のガイドローラー１４２を案内して障子１３を自重降下するようにし，縦枠１２３と縦框１３３間にメインアーム１５を，このメインアーム１５の中間位置と連窓方立１２４間にサブアーム１６をそれぞれ介設する。連窓方立１２４に配置した中間ガイドレール１７３によって，上下を制動バネ１７２で支持した制動プレート１７のガイドローラー１７４を案内する一方，このガイドローラー１７４にサブアーム１６の一端を軸支固定する。開錠操作によって障子１３が辷り出し開放するとともに制動プレート１７によって風圧抵抗に応じて障子１３が自動開閉する自然換気窓とすることができる。【選択図】  図３
2008308930.tif 000002
【特許請求の範囲】
【請求項１】
開閉機構によって窓枠から障子を辷り出し開閉するとともに障子の受ける風圧抵抗に応じて障子の開閉角度を可変とした自然換気の辷り出し窓であって，上記開閉機構を，窓枠の縦枠上端に対向配置したガイドレールと，該ガイドレールの案内によって上下動して縦枠に対して障子を昇降するように障子の縦框上端に配置したスライダーと，窓枠の縦枠と障子の縦框に長手方向両端部を回動自在としてこれらの間に縦枠から上向きに傾斜介設した障子開閉用のメインアームと，縦枠とメインアームに長手方向両端部を回動自在とするとともに縦枠側において上下方向可動配置としメインアーム側において定位置配置としてこれらの間に縦枠から下向きに傾斜介設したメインアーム回動促進用のサブアームとを備えて形成してなることを特徴とする自然換気辷り出し窓。
【請求項２】
上記開閉機構を，上下の制動バネを介して縦枠に配置した上下揺動自在の制動プレートと，縦枠の上下中間位置に配置した中間ガイドレールと，該中間ガイドレールの案内によって上下動するように該制動プレートに固定したスライダーを追加的に備えて形成するとともに上記サブアームの長手方向縦枠側の端部を該スライダーに回動自在に固定してなることを特徴とする請求項１に記載の自然換気辷り出し窓。
【請求項３】
上記開閉機構における縦枠及び縦框に対するメインアーム，縦枠に対する制動バネの位置をそれぞれ調整自在としてなることを特徴とする請求項２に記載の自然換気辷り出し窓。
【発明の詳細な説明】
【技術分野】
【０００１】
本発明は，障子の辷り出し開放を常態として自然換気を行うようにした自然換気辷り出し窓に関する。
【背景技術】
【０００２】
この種自然換気窓として，本発明者らは，開閉機構によって窓枠から障子を外開き開閉するとともに障子の受ける風圧抵抗に応じて障子の開閉角度を可変とした外開き窓を提案済であり，これによれば，上記開閉機構は，これを，窓枠の縦枠上端に配置した滑車装置と，該滑車装置の動滑車を配置した昇降部材と，該昇降部材に連結して上記動滑車の上下動に追従して上下動するように縦枠の見込面に凹陥形成した凹溝に収納して該縦枠に配置した，金属プレートを多数枚重合したバランサーと，該バランサーの裏面に配置したガイドローラー等のスライダーと，該スライダーを案内するように縦枠の上記凹溝のバランサー背面に配置したガイドレールと，縦枠見込面の障子側において該バランサーと障子の縦框間に長手方向両端部を回動自在としてこれらの間に縦枠から下向きに傾斜介設した障子開閉用の連結アームと，上記昇降部材を下向きに付勢するように該昇降部材と縦枠間に介設した制動バネ等を備えて形成したものとされる。
【０００３】
【特許文献１】特開２００７−６３８９９号公報
【発明の開示】
【発明が解決しようとする課題】
【０００４】
この場合，該外開き窓は，その障子の傾斜開放を常態とし，障子が受ける風圧抵抗に応じて，例えば風圧が強くなった際に障子を一時的に閉鎖し，強い風圧がなくなった際に再び障子を傾斜開放する如くにその自動の開閉動作を行うようにした自然換気のものとすることができる。しかし乍ら，この外開き窓における開閉機構は，その部品数が多くなって，構造が複雑化する傾向を招き易いという問題点がある。また該開閉機構は，上記金属プレートを多数枚重合したバランサーを使用するとともに該バランサーにスライダーを設置し，縦枠に設置したガイドレールによってこのスライダーを案内して，バランサーの上下動を行うものとされるから，これらバランサーとスライダーの合計厚さ幅が厚くなる傾向を招き易く，これらバランサーとスライダーを収納する上記縦枠見込面の凹溝が，該バランサーとスライダーの合計厚さ幅を収納する深さを必要とする結果，縦枠の見付面が幅広になることを避け難いという問題点がある。特に連窓の自然換気窓の幅方向中間の中間縦枠，即ち連窓方立にあっては，これらバランサーとスライダーを対としてその幅方向両側に収納することによって，例えば１０ｃｍ程度の見付幅を必要とするものとなるところ，一般に連窓方立の見付幅は６〜７ｃｍ程度であるから，該開閉機構を用いた自然換気窓の連窓方立は，一般のものより数ｃｍ程度幅広の見付幅のものとなる結果，この場合，連窓方立が太いという印象を呈する自然換気窓になり易い。このため該開閉機構は，上記構造の複雑化とともに，特に連窓方立の幅広化を招き易く，これによって，自然換気窓における外観意匠を損なうという可能性が残されている。
【０００５】
本発明はかかる事情に鑑みてなされたもので，その解決課題とするところは，開閉機構を可及的簡易にしてスムーズ且つ安定した障子の開閉をなし得るとともに縦枠，特に連窓方立の見付幅を可及的に抑制し得るようにした自然換気辷り出し窓を提供するにある。
【課題を解決するための手段】
【０００６】
上記課題に沿って本発明は，自然換気窓の開閉機構を，窓枠の縦枠上端にガイドレールを対向配置して，その案内により障子の縦框上端に配置したスライダーを上下動することによって，例えば障子の開錠状態で該障子を自重落下するように構成する一方，該障子の縦框と縦枠間にメインアームを上向きに傾斜介設し，その回動により該自重落下する障子を室外側に突き出し状に保持することによって，障子を辷り出し開閉する構成のものとし，また上記メインアームと縦枠間に，縦枠側において上下方向可動，メインアーム側において定位置の配置としたサブアームを下向きに傾斜介設することによって，開放の常態で障子が風圧抵抗を受けたとき，該サブアームがメインアームの回動を誘導促進して該障子の開閉をスムーズ且つ安定してなし得るように構成し，該開閉機構を，可及的に少数の部品にして簡易な構造のものとすることによって，開閉機構の厚さ幅を抑制して，縦枠，特に連窓方立の見付幅を可及的に抑制し，一般の見付幅と同程度とするようにしたものであって，即ち請求項１に記載の発明を，開閉機構によって窓枠から障子を辷り出し開閉するとともに障子の受ける風圧抵抗に応じて障子の開閉角度を可変とした自然換気の辷り出し窓であって，上記開閉機構を，窓枠の縦枠上端に対向配置したガイドレールと，該ガイドレールの案内によって上下動して縦枠に対して障子を昇降するように障子の縦框上端に配置したスライダーと，窓枠の縦枠と障子の縦框に長手方向両端部を回動自在としてこれらの間に縦枠から上向きに傾斜介設した障子開閉用のメインアームと，縦枠とメインアームに長手方向両端部を回動自在とするとともに縦枠側において上下方向可動配置としメインアーム側において定位置配置としてこれらの間に縦枠から下向きに傾斜介設したメインアーム回動促進用のサブアームとを備えて形成してなることを特徴とする自然換気辷り出し窓としたものである。
【０００７】
請求項２に記載の発明は，上記に加えて，上記開閉機構のサブアームを，上下の制動バネを介して縦枠に配置した上下に揺動自在の制動プレートによって制動することにより，上記障子が風圧抵抗を受けたときの自動閉鎖と傾斜開放の障子揺動制御と，該障子揺動及び施開錠による障子開閉衝撃の緩衝をなし得るものとするように，これを，上記開閉機構を，上下の制動バネを介して縦枠に配置した上下揺動自在の制動プレートと，縦枠の上下中間位置に配置した中間ガイドレールと，該中間ガイドレールの案内によって上下動するように該制動プレートに固定したスライダーを追加的に備えて形成するとともに上記サブアームの長手方向縦枠側の端部を該スライダーに回動自在に固定してなることを特徴とする請求項１に記載の自然換気辷り出し窓としたものである。
【０００８】
請求項３に記載の発明は，同じく上記に加えて，メインアーム，制動バネの位置関係を調整自在とすることによって，上記障子の風圧抵抗による上記障子揺動制御と施開錠時を含めた衝撃の緩衝を有効且つ適切に行うものとするように，これを，上記開閉機構における縦枠及び縦框に対するメインアーム，縦枠に対する制動バネの位置をそれぞれ調整自在としてなることを特徴とする請求項２に記載の自然換気辷り出し窓としたものである。
【０００９】
本発明はこれらをそれぞれ発明の要旨として上記課題解決の手段としたものである。
【００１０】
なお既に明らかなように，本発明において縦枠とは，単窓の場合の窓枠における両側の端部縦枠，連窓の場合の幅方向両端の端部縦枠及び幅方向中間の中間縦枠をなす連窓方立の双方を含む意味に用いるが，これら端部縦枠と連窓方立を区別して説明に用いることがある。
【発明の効果】
【００１１】
本発明は以上のとおりに構成したから，請求項１に記載の発明は，自然換気窓の開閉機構を，窓枠の縦枠上端にガイドレールを対向配置して，その案内により障子の縦框上端に配置したスライダーを上下動することによって，例えば障子の開錠状態で該障子を自重落下するように構成する一方，該障子の縦框と縦枠間にメインアームを上向きに傾斜介設し，その回動により該自重落下する障子を室外側に突き出し状に保持することによって，障子を辷り出し開閉する構成のものとし，また上記メインアームと縦枠間に，縦枠側において上下方向可動，メインアーム側において定位置の配置としたサブアームを下向きに傾斜介設することによって，開放の常態で障子が風圧抵抗を受けたとき，該サブアームがメインアームの回動を誘導促進して該障子の開閉をスムーズ且つ安定してなし得るように構成し，該開閉機構を，可及的に少数の部品にして簡易な構造のものとすることによって，開閉機構の厚さ幅を抑制して，縦枠，特に連窓方立の見付幅を可及的に抑制し，一般の見付幅と同程度とするようにした自然換気辷り出し窓を提供することができる。
【００１２】
請求項２に記載の発明は，上記に加えて，上記開閉機構のサブアームを，上下の制動バネを介して縦枠に配置した上下に揺動自在の制動プレートによって制動することにより，上記障子が風圧抵抗を受けたときの自動閉鎖と傾斜開放の障子揺動制御と，該障子揺動及び施開錠による障子開閉衝撃の緩衝をなし得るものとすることができる。
【００１３】
請求項３に記載の発明は，同じく上記に加えて，メインアーム，制動バネの位置関係を調整自在とすることによって，上記制動バネを介して縦枠に配置した制動プレートの制動を的確に行って，障子の揺動制御と緩衝を可及的有効且つ適切に行うものとすることができる。
【発明を実施するための最良の形態】
【００１４】
以下図面の例に従って本発明を更に具体的に説明すれば，１１は自然換気辷り出し窓であって，該辷り出し窓１１は，その開閉機構によって窓枠１２から障子１３を辷り出し開閉するとともに障子１３の受ける風圧抵抗に応じて障子１３を揺動してその開閉角度を可変としたものとしてある。即ち辷り出し窓１１は，例えば無風状態や風速２〜３ｍ／ｓｅｃ程度の微風状態で障子１３を辷り出し開放の常態とし，風速４〜５ｍ以上の強風状態で障子１３が風圧抵抗を受けることによって該障子１３を自動的に閉鎖し，強風が治まり風圧抵抗がなくなると再び辷り出し開放の常態に復帰することによって自動の自然換気を行うようにしてあり，本例にあって該辷り出し窓１１は，例えばアルミサッシの連段窓１の上段に，上枠１２１，無目１２２及び縦枠，即ち端部縦枠１２３乃至連窓方立１２４による各矩形の窓枠１２にそれぞれ障子１３を配置した４連窓として，該連段窓１の上方高所に一連に配置し，該４連窓の辷り出し窓１１によって室内の上方高所においてその換気を行うようにしてあり，このとき該連段窓１の下段は，中央に嵌殺窓を，その左右に引き違い窓を配置して，これを３連窓としてある。
【００１５】
該自然換気辷り出し窓１１の開閉機構は，これを，窓枠１２の縦枠１２３，１２４上端に対向配置したガイドレール１４と，該ガイドレール１４の案内によって上下動して縦枠１２３，１２４に対して障子１３を昇降するように障子１３の縦框１３３上端に配置したスライダー１４２と，窓枠１２の縦枠１２３，１２４と障子１３の縦框１３３に長手方向両端部を回動自在としてこれらの間に縦枠１２３，１２４から上向きに傾斜介設した障子１３開閉用のメインアーム１５と，縦枠１２３，１２４とメインアーム１５に長手方向両端部を回動自在とするとともに縦枠１２３，１２４側において上下方向可動配置としメインアーム１５側において定位置配置としてこれらの間に縦枠から下向きに傾斜介設したメインアーム１５回動促進用のサブアーム１６とを備えて形成してあり，このとき本例の上記開閉機構は，これを，上下の制動バネ１７２を介して縦枠１２３，１２４に配置した上下揺動自在の制動プレート１７と，縦枠１２３，１２４の上下中間位置に配置した中間ガイドレール１７３と，該中間ガイドレール１７３の案内によって上下動するように該制動プレート１７に固定した制動プレート上下揺動用のスライダー１７４を追加的に備えて形成するとともに上記サブアーム１６の長手方向縦枠１２３，１２４側の端部を該スライダー１７４に回動自在に固定したものとしてある。
【００１６】
本例における上記窓枠の縦枠１２３，１２４は，これを端部縦枠１２３にあって室外側を開口した断面Ｌ字状に，連窓方立１２４にあって，これを同じく室外側の両側を開口した断面Ｔ字状に形成し，また障子１３の縦框１３３は，該障子１３の閉鎖時に上記端部縦枠１２３の開口及び連窓方立１２４の両側の開口を，それぞれ平面ボックス状の空間を形成するように，例えば端部縦枠１２３及び連窓方立１２４の室外側端部に室外側に向けて配置した気密材１２６に対接して該開口を塞ぐように，端部縦枠１２３及び連窓方立１２４と逆向きをなす断面Ｌ字状に形成してあり，上記開閉機構は，これを該平面ボックス状の空間を形成する開口に収納することによって，障子１３の開閉を行うようにしてある。
【００１７】
障子１３の昇降を行う上記ガイドレール１４は，幅広基板と，該幅広基板の中央位置に突出レール又は溝レール，本例にあっては断面Ｃ字状の溝レールを配置した，例えばアルミ押出材を所定長さに切断加工した，上記幅広基板の一側片側に固定金具１９，例えばネジ用の透孔を備えた比較的短寸，例えば１０ｃｍ程度の長さのものとしてある。このとき本例の溝レールは，その上下方向中間部乃至下部をストッパー１４１で閉塞し，これによって後述のスライダー１４２の抜止めとその上下動の範囲を規制してあり，本例のストッパー１４１は，例えば逆Ｌ字金具を用いて，これを溝レールに嵌合して，該ガイドレールの幅広基板に重合した垂直片を固定金具１９，例えばネジ止めによって固定し，その上端の水平突片で断面Ｃ字状の溝レールを塞ぐようにしてある。
【００１８】
該ガイドレール１４は，これを，端部縦枠１２３に対しては裏板１８を用いて，該端部縦枠１２３の見込片１２５に対して直接又はライナーを介して固定金具１９による固定，例えばネジによってネジ止めすることによって，また連窓方立１２４に対しては，ガイドレール１４を一対用いて，その一方を上下に反転して該一対のガイドレール１４の幅広基板によって連窓方立１２４中央の見込片を挟持するように背合せ状に配置して，これらを固定金具１９，例えばボルトナットで締着してその固定を行ってある。
【００１９】
本例にあってガイドレール１４を上下動するスライダーは，これをガイドレール１４の溝レールに転動自在に装着したガイドローラー１４２としてあり，該ガイドローラー１４２は，これを，障子１３の縦框１３３の上端に，該縦框１３３からやや側方上方に突出するように，例えば縦框１３３にネジ止めした図示省略のＬ字金具に回転自在に軸支固定してある。本例にあって該スライダー１４２を縦框１３３の側方上方に突出するように配置したことによって，上記端部縦枠１２３乃至連窓方立１２４に固定したガイドレール１４と障子１３が衝接することなく，該ガイドレール１４がスライダー１４２の上下動を行って，該障子１３を開錠の開放状態としたときに，該障子１３がその自重で降下し，また施錠の閉鎖状態としたときに，ガイドレール１４の案内によって障子１３がその自重に抗して上昇して，その昇降を行うようにしてある。
【００２０】
メインアーム１５は，ステンレス等の比較的厚肉の金属プレートによって長寸に形成し，本例にあってその長手方向両端を，例えば端部縦枠１２３乃至連窓方立１２４の上下方向中間の下方位置と縦框１３３の同じく上下方向中間の上方位置に，上記と同様に，端部縦枠１２３及び縦框１３３にあっては裏板を用い，連窓方立１２４にあってはその見込片１２５を挟持するように背合せ状として，それぞれ固定金具１９，即ちネジ止め又はボルトナット締着した軸支金具１５１に回動自在に軸支固定することによって，端部縦枠１２３乃至連窓方立１２４側の端部を下位に，縦框１３３側の端部を上位とするようにこれらの間に傾斜介設してあり，これによって上記開錠状態で自重降下する障子１３を室外側に向けて突き出し状に押圧して該障子１３を辷り出し開放し，また施錠状態で自重に抗して上昇する障子１３を室内側に引っ張り状に引寄せて該障子１３を逆動作で閉成するようにしてあり，従って上記ガイドレール１４とスライダー１４２を用いることによって，自然換気辷り出し窓１１は，その障子１３を辷り出し開閉するものとして構成してある。
【００２１】
サブアーム１６は，メインアーム１５と同様に金属プレートによって形成してあり，このときその長さを該メインアーム１５より短寸として，その長手方向両端を，本例にあっては上記制動プレート１７，特にその上記スライダー１４２とメインアーム１５にそれぞれ回動自在に軸支固定することによって，制動プレート１７側の端部を端部縦枠１２３乃至連窓方立１２４に対して上下可動配置の上位とし，メインアーム１５側の端部を定位置配置の下位として，これらの間に傾斜介設してあり，これによりメインアーム１５の回動を誘導促進するとともに該メインアーム１５を制動することによって，障子１３が風圧抵抗を受けたときの自動閉鎖と傾斜開放の障子揺動防止並びに施開錠時を含めた障子１３の開閉衝撃の緩衝を行うように構成してある。
【００２２】
制動プレート１７は，上下の制動バネ１７２，本例にあっては引張バネを介して端部縦枠１２３乃至連窓方立１２４に添設するように，該端部縦枠１２３乃至連窓方立１２４の上記ガイドレール１４設置位置より下位にして，メインアーム１５の軸支固定位置より上位とした上下方向中間位置，特に中間位置上方に配置した同じく金属プレートによって形成して，該端部縦枠１２３乃至連窓方立１２４に対して上下揺動自在のものとしてある。このとき該制動バネ１７２は，端部縦枠１２３乃至連窓方立１２４に，上記と同様に，端部縦枠１２３にあっては裏板を用い，連窓方立１２４にあってはその見込片１２５を挟持するように背合せ状としてそれぞれ固定金具１９，例えばネジによってネジ止めした係止金具１７１における係止突起と，制動プレート１７の長手方向両端に配置した係止突起に，その上下の各フックを引掛係止して，該制動プレート１７を端部縦枠１２３乃至連窓方立１２４に上下揺動自在に配置してあり，このとき該制動プレート１７は，障子１３の開放状態で上下の制動バネ１７２がバランスし，閉鎖状態で上位の制動バネ１７２が縮小し，下位の制動バネ１７２が伸張して該制動プレート１７を上向きに付勢するように，その配置を行ったものとしてある。
【００２３】
制動プレート１７は，その上下方向中間に上記スライダー，本例にあっては同じくガイドローラー１７４を軸支固定する一方，該ガイドローラー１７４設置位置に該ガイドローラー１７４の案内を行う中間ガイドレール１７３を端部縦枠１２３乃至連窓方立１２４に配置してあり，これによって，上記上下の制動バネ１７２によって設置した該制動プレート１７が室内外方向に振れて，これに伴ってメインアーム１５に一端を軸支固定したサブアーム１６の端部縦枠１２３乃至連窓方立１２４側に位置ズレが生じて，障子１３のスムーズな開閉が損なわれるのを防止して，制動プレート１７の上下方向に向けた揺動を確実に行って，障子１３の安定且つスムーズな開閉をコントロールするようにしてある。
【００２４】
中間ガイドレール１７３は，幅広基板と，該幅広基板の室内側に突出レール又は溝レール，本例にあっては逆Ｌ字状対向一対の突出レールを配置したアルミ押出形材を所定長さに切断加工したものとしてあり，該中間ガイドレール１７３は，その一側室外側の幅広基板を固定金具，例えばネジ止めによって固定して端部縦枠１２３乃至連窓方立１２４に配置してあり，またガイドローラー１７４は，これを溝戸車として，上記中間ガイドレール１７３の対向一対の突出レールに転動自在に装着してあり，本例にあっては上記サブアーム１６の端部縦枠１２３乃至連窓方立１２４側の端部を該ガイドローラー１７４としたスライダーに軸支固定し，中間ガイドレール１７３によるガイドローラー１７４を介して上記サブアーム１６の上下動を行うようにしてある。このとき該中間ガイドレール１７３は，その長さを，端部縦枠１２３乃至連窓方立１２４におけるサブアーム１６を軸支固定したガイドローラー１７４の，障子１３の開閉に伴う上下動の範囲に合せて，これをカバーするように短寸のものとしてある。
【００２５】
本例にあって，上記開閉機構における端部縦枠１２３乃至連窓方立１２４及び縦框１３３に対するメインアーム１５，縦枠１２３，１２４に対する制動バネ１７２の位置をそれぞれ調整自在としてあり，本例にあっては更に縦枠１２３，１２４に対する中間ガイドレール１７３の位置を調整自在としてある。上記メインアーム１５及び制動バネ１７２の位置調整は，これによって上記自重降下した障子１３と，メインアーム１５，制動プレート１７に軸支固定したサブアーム１６の位置関係及び制動プレート１７を付勢する制動バネ１７２，特に下位の制動バネのバネ強さを調整して，障子１３の風圧抵抗による上記障子１３の揺動制御と施開錠時を含めた衝撃の緩衝を有効且つ適切に行うようにしてあり，また中間ガイドレール１７３の位置調整は，これによって該中間ガイドレール１７３を可及的に短寸に形成し乍ら，そのスライダー，即ちガイドローラー１７４の移動範囲を確実にカバーする位置に設置し得るようにしてある。
【００２６】
本例の位置調整は，例えば端部縦枠１２３乃至連窓方立１２４の縦枠側又は縦框１３３，あるいはこれらに，本例にあって，固定金具による固定，例えばネジ止め又はボルトナットの締着によって固定する上記メインアームの軸支金具１５１，制動バネ１７２の係止金具１７１の一方に多数の透孔を，他方に少数の透孔を同一ピッチに透設して，多数の透孔に対して少数の透孔を合せて，これらを例えば上記ボルトナットで締着固定するか，裏板１８を用いるときは該裏板１８にネジ止めするようにして，上記多数の透孔の範囲で軸支金具１５１，係止金具１７１の上下方向の位置を変化してその固定を行うようにしてある。本例の位置調整は，端部縦枠１２３乃至連窓方立１２４又は縦框１３３に多数，例えば３乃至６ヶ所の透孔を，軸支金具１５１及び係止金具１７１に少数，例えば２乃至４の透孔を配置して，その固定を行うようにしてあり，その調整範囲は，本例にあってそれぞれ上下方向に０．５〜１ｃｍ程度として，例えば０．２ｍｍ程度の小ピッチで微調整をなし得るようにしてある。
【００２７】
図中２は，本例にあって窓枠１２の下枠，本例にあっては無目１２２と障子１３の下框１３２間に配置して，オペレーター２１操作によって障子１３の施開錠を行うようにした施錠装置であり，該施錠装置２は，下段の３連窓の端部縦枠に配置したオペレーター２１と，上記無目１２２と下框１３２間にこれらを連結するように介設し，その無目１２２側の近傍裏面に下向きに突設した引寄せブロック２４２を具備した引寄せアーム２４と，上記オペレーター２１の障子１３閉鎖操作により復帰付勢力を蓄積して無目１２２長手方向他方に向けてスライド自在とし且つオペレーター２１の障子１３開放操作により上記復帰付勢力によってスライド復帰自在としたスライドプレート２２２と，該スライドプレート２２２における面内一方端部の室外側に起立突設して引寄せアーム２４側面を押圧することにより該引寄せアーム２４を室内側に向けて強制回動する押圧突起２２３及び面内他方端部の室内側に引寄せアーム２４位置より低く起立して該引寄せアーム２４の強制回動によってその裏面を通過してその上記引寄せブロック２４２の室外側に回り込み状に位置して該引寄せブロック２４２に係止する引寄せ突起２２４とを備えて形成してある。
【００２８】
このとき，本例にあって上記引寄せアーム２４は，これを，長寸の障子側アーム２４３と短寸の無目側アーム２４１をその自由端で回動自在に軸支固定した屈曲一対のものとして形成し且つ上記引寄せブロック２４２を無目側アーム２４１に配置してあり，また，上記引寄せアーム２４を，無目１２２側において該無目１２２に回動自在に配置した回動プレート２３に固定し，上記スライドプレート２２２の押圧突起２２３による引寄せアーム２４側面の押圧を，該回動プレート２３に配置した受止片に対する押圧突起２２３の対接によって行ってある。更に本例の施錠装置２は，その上記無目１２２のスライドプレート２２２と離隔した位置に，該スライドプレート２２２と連動してスライドするスライドフック２５を，障子１３引寄せ閉鎖時の下框１３２の対応位置に該スライドフック２５に係止するロックピン２５１を配置する一方，無目１２２にオペレーター２１と連結し且つ上記復帰付勢力を蓄積するスライド杆２２１を配置し，該スライド杆２２１に上記スライドプレート２２２及びスライドフック２５を固定することによって，該スライドプレート２２２とスライドフック２５を連動したものとしてある。
【００２９】
即ち本例の施錠装置２にあっては，オペレーター２１を障子１３閉鎖方向に操作することによって，上記スライド杆２２１を，これに復帰付勢力を蓄積してオペレーター２１側に引寄せるとともにスライドプレート２２２とスライドフック２４を引寄せ，スライドプレート２２２の押圧突起２２３が回動プレート２３を介して引寄せアーム２４，特にその無目側アーム２４１を押圧して該アーム２４１を強制回動し且つその引寄せ突起２２４が該引寄せアーム２４の裏面を通過し，その引寄せブロック２４２の室外側に回り込むように移動して該引寄せブロック２４２に係止し，該引寄せアーム２４を屈曲状態として無目１２２側に引寄せるとともにスライドフック２５がロックピン２５１を受入れて，障子１３の引寄せとそのロックを行うものとしてあり，一方，オペレーター２１を障子１３開放方向に操作することによってスライド杆２２１が，その蓄積した復帰付勢力によって復帰するとともにスライドフック２５からロックピン２５１が外れて障子１３のロックが解除され，障子１３が自重降下することによってその開放を行うものとしてある。図中２２はスライド杆２２１を引寄せるワイヤー，２６は，上記スライドプレート２２２と離隔した位置に配置して障子１３引寄せ時に該障子１３の緩衝を行うようにした緩衝部材である。
【００３０】
以上のように構成した本例の自然換気辷り出し窓１１は，上記開閉機構を，メインアーム１５とサブアーム１６及び該サブアーム１６の制動を行う制動プレート１７を備えて形成したから，その厚さを，例えば２ｃｍ程度とする如くに，可及的に薄いものとすることができ，従って縦枠，特に連窓方立１２４の見付幅を，例えば６ｃｍ程度として，一般の連窓方立の見付幅と同等乃至それ以下とすることができ，自然換気窓としての外観の意匠を良好に確保したものとすることができる。またこの開閉機構によって，障子１３を辷り出し開閉するものとして，開錠によって障子１３の重量を利用して該障子１３を自重降下して，その開放を行うようにし，また該自重降下時に制動プレート１７によって制動したサブアーム１６が，メインアーム１５の回動を制御して，障子１３が風圧抵抗を受けたときの自動閉鎖と傾斜開放の障子揺動制御と，該障子１３の揺動及び施開錠による障子１３の開閉衝撃の緩衝を行うようにして，セルフバランス機構として障子１３の安定した制御を行うものとすることができ，またこのとき，メインアーム１５，制動バネ１７２の位置関係を調整自在として，制動プレート１７の制動を的確に行って，障子１３の制御と緩衝を有効且つ適切に行うものとすることができ，従って外観意匠に優れて，障子１３の開閉に伴う騒音や衝撃音がなく，使い勝手のよい自然換気窓とすることができる。
【００３１】
図示した例は以上のとおりとしたが，スライダーをガイドレールに上下動自在に配置したプレートによるものとすること，メインアーム及びサブアームを障子の片側に配置すること等を含めて，本発明の実施に当って，辷り出し窓，開閉機構，ガイドレール，スライダー，メインアーム，サブアーム，必要に応じて用いる制動プレート，制動バネ，中間ガイドレール，スライダー，施錠装置等の各具体的形状，構造，材質，これらの関係，これらに対する付加等は，上記発明の要旨に反しない限り様々な形態のものとすることができる。
【図面の簡単な説明】
【００３２】
【図１】自然換気窓の正面図である。
【図２】自然換気窓の側面図である。
【図３】自然換気窓の縦断面図である。
【図４】開閉機構の側面図である。
【図５】端部縦枠乃至連窓方立部分の横断面図である。
【図６】開放状態の障子と無との関係を示す部分拡大図である。
【図７】閉鎖状態の障子と無目の関係を部分拡大図である。
【符号の説明】
【００３３】
１      連段窓
１１    自然換気辷り出し窓
１２    窓枠
１２１  上枠
１２２  無目
１２３  端部縦枠
１２４  連窓方立
１２６  気密材
１３    障子
１３１  上框
１３２  下框
１３３  縦框
１４    ガイドレール
１４１  ストッパー
１４２  スライダー
１５    メインアーム
１５１  軸支金具
１６    サブアーム
１７    制動プレート
１７１  係止金具
１７２  制動バネ
１７３  中間ガイドレール
１７４  スライダー
１８    裏板
１９    固定金具
２      施錠装置
２１    オペレーター
２２    ワイヤー
２２１  スライド杆
２２２  スライドプレート
２２３  押圧突起
２２４  引寄せ突起
２３    回動プレート
２４    引寄せアーム
２４１  無目側アーム
２４２  引寄せブロック
２４３  障子側アーム
２５    スライドフック
２５１  ロックピン
２６    緩衝部材
【図１】
2008308930.tif 000003
【図２】
2008308930.tif 000004
【図３】
2008308930.tif 000005
【図４】
2008308930.tif 000006
【図５】
2008308930.tif 000007
【図６】
2008308930.tif 000008
【図７】
2008308930.tif 000009